(57)【要約】【課題】十分な浄水能力を有する一方で、シンク上、シンク横またはシンク下の特別な設置スペースを必要とせず、更に、特に設置面に立設される基部部分のデザインを多様化して意匠性を向上することができる浄水器専用水栓の提供。【解決手段】水栓本体１を、ベース部１０、センター部２０、キャップ部３０の３ピース構成とする。キャップ部の内周面の下側に、キャップ部の上端に向かって所定のテーパー率で縮径するテーパー面を設けると共に、キャップ部の内周面においてテーパー面より上側に段差面を設け、キャップ部のテーパー面の軸方向所定位置の外径を、浄水カートリッジの封止部材がテーパー面に圧接して水密を維持できる直径以下に設定して、テーパー面の軸方向所定位置から段差面までの間隔の範囲で、浄水カートリッジの上端の吐水端面の位置を調節して、キャップ部側の入水孔端面と浄水カートリッジの吐水端面との間の距離を増減変更自在とする。【選択図】図１
2011241604.tif 000002
【特許請求の範囲】
【請求項１】
内部に通水空間を有すると共に、円筒状の外形を有するベース部と、
下端部を前記ベース部の上端部の直径と同一の直径とし、上端に向かって第１のテーパー率で縮径し、かつ、軸方向両端を円形に開口した円筒状をなし、下端部が前記ベース部の上端部に着脱自在に接続されて前記ベース部と同心状に延びると共に、その内周面により前記上端に向かって前記第１のテーパー率に対応するテーパー率で縮径して延びる円柱状の内部空間を形成するセンター部と、
下端部を前記センター部の上端部の直径と同一の直径とし、上端に向かって前記センター部の第１のテーパー率以上となる第２のテーパー率で縮径し、かつ、下端を開口する一方で上端を閉塞した円筒状をなし、下端部が前記センター部の上端部に着脱自在に接続されて前記センター部と同心状に延びるキャップ部と、
前記キャップ部に装着された吐水パイプと、
前記ベース部の前記通水空間の上端側に内蔵された弁部材と、
前記ベース部の外側において前記弁部材と対応する位置に配設され、前記弁部材を開弁及び閉弁操作自在なよう当該弁部材に作用的に連結されると共に、軸方向が前記ベース部の軸方向に対して上方に所定角度で傾斜するハンドル部とを備え、
前記ベース部、センター部及びキャップ部により水栓本体を構成して、当該水栓本体の内部空間により浄水カートリッジを収納するカートリッジ内蔵部を構成し、
前記キャップ部の内周面の下側に、当該キャップ部の上端に向かって所定のテーパー率で縮径するテーパー面を設けると共に、前記キャップ部の内周面において前記テーパー面より上側に段差面を設け、キャップ部のテーパー面の軸方向所定位置の外径を、前記浄水カートリッジの封止部材が当該テーパー面に圧接して水密を維持できる直径以下に設定して、前記テーパー面の軸方向所定位置から前記段差面までの間隔の範囲で、前記浄水カートリッジの上端の吐水端面の位置を調節して、前記キャップ部側の入水孔端面と前記浄水カートリッジの吐水端面との間の距離を増減変更自在としたことを特徴とする浄水器専用水栓。
【請求項２】
前記キャップ部の段差面と入水端面との間の距離は、前記浄水カートリッジの吐水端面からの浄水が要求入水効率で前記入水端面内に入水するために必要な最小距離に設定すると共に、前記キャップ部のテーパー面の上端を前記浄水カートリッジの上端外径より小径の直径を有して当該浄水カートリッジの上端に当接係止して移動阻止する段差面としたことを特徴とする請求項１記載の浄水器専用水栓。
【請求項３】
前記ハンドル部は、前記ベース部の上端側において前記ベース部から上方に傾斜して延びることを特徴とする請求項１または２記載の浄水器専用水栓。
【請求項４】
前記キャップ部に前記吐水パイプを装着するための別部品としての上側係止部及び下側係止部を備え、
前記キャップ部の中心部に、上側を前記上側係止部を収容自在な小径孔部とし、かつ、下側を前記下側係止部の上側部を収容自在な大径孔部とした貫通孔を形成し、当該上側の小径孔部に前記上側係止部を収容して同軸状に配設すると共に、前記下側の大径孔部に前記下側係止部を螺合により同軸状に装着し、前記上側係止部によって前記吐水パイプの基端部を凹凸の関係で係止して軸方向の移動を規制すると共に、前記下側係止部によって前記吐水パイプの下端面を当接係止してそれ以上の軸方向への移動を阻止するようにしたことを特徴とする請求項１乃至３のいずれか１項記載の浄水器専用水栓。
【発明の詳細な説明】
【技術分野】
【０００１】
本発明は、台所の流し台等の設置面に固定的に配設される浄水器専用水栓に関し、特に、設置面に立設される収容部に浄水カートリッジを内蔵した浄水器専用水栓に関する。
【背景技術】
【０００２】
従来、給水源からの原水（水道水）をろ過及び浄化して浄水を吐出する浄水器として、水栓一体型浄水器（スパウトイン浄水器とも呼ばれる）、キッチン据置型浄水器、アンダーシンク型浄水器がある。このうち、水栓一体型浄水器は、設置面（シンク上）に立設される基部と基部から前方に延びるスパウト部（吐水パイプ）とからなり、通常の湯水混合水栓やシャワー水栓と同様の外観を有する。一方、水栓一体型浄水器では、スパウト部の内部空間（吐水流路）に、対応する形状の浄水カートリッジを収納し、給水源から基部に所定の動水圧で供給した原水がスパウト部の吐水流路に流入して先端の吐水口から吐出される過程で、吐水流路内の浄水器カートリッジの内部のろ過材（活性炭や中空糸膜等）によって原水をろ過して浄水とする。したがって、スパウト部の吐水流路に収納する関係上、浄水カートリッジの容量が限定され、浄水能力を大きく確保することができない。次に、キッチン据置型浄水器は、通常の水栓とは別個の浄水器の一対の通水管（入水管及び出水管）をそれぞれ水栓の吐水口に付設した切換コックに接続し、水栓からの原水を浄水器内部の浄水カートリッジで浄水とした後に水栓に給水して、水栓の吐水口から吐出する。したがって、浄水器や切換コックとの接続用の配管をキッチンのシンク上やシンク横等の所定のスペースに設置及び配設する必要があり、そのためのスペースが必要となる。次に、アンダーシンク型浄水器は、シンク下の浄水器本体を設置し、シンク上に設置した水栓（浄水器専用水栓または浄水器専用吐水パイプを設けた水栓）に浄水器本体を配管により接続し、給水源からの原水を浄水器本体内部の浄水カートリッジで浄水とした後に水栓に給水して、水栓の吐水口から吐出する。したがって、浄水器本体をシンク下に設置するためのスペースが必要となる。なお、例えば、特許文献１には、上記浄水器のうちのアンダーシンク型浄水器についての開示がある。
【先行技術文献】
【特許文献】
【０００３】
【特許文献１】特開２００９−２４９９４６号公報
【発明の概要】
【発明が解決しようとする課題】
【０００４】
しかし、従来の浄水器は、上記のように、水栓一体型水栓については浄水能力の点で改善する余地があり、キッチン設置型浄水器についてはシンク上またはシンク横の設置スペースについて改善する余地があり、アンダーシンク型浄水器についてはシンク下の設置スペースについて改善する余地がある。一方、従来の水栓は、前記水栓一体型水栓やアンダーシンク型浄水器で使用される水栓も含め、設置面に立設される基部が単純円筒状等の単調な外形となっており、意匠性の点でも改善する余地がある。
【０００５】
そこで、本発明は、十分な浄水能力を有する一方で、シンク上、シンク横またはシンク下の特別な設置スペースを必要とせず、更に、特に設置面に立設される基部部分のデザインを多様化して意匠性を向上することができる浄水器専用水栓の提供を課題とする。
【課題を解決するための手段】
【０００６】
請求項１に係る浄水器専用水栓は、ベース部、センター部及びキャップ部を備える。ベース部は、内部に通水空間を有すると共に、（例えば、軸方向に同一直径で延びる、または、テーパー状となる）円筒状の外形を有する。センター部は、下端部を前記ベース部の上端部の直径と同一の直径とし、上端に向かって第１のテーパー率で縮径し、かつ、軸方向両端を円形に開口した円筒状をなす。また、センター部は、下端部が前記ベース部の上端部に着脱自在に接続されて前記ベース部と同心状に延びると共に、その内周面により前記上端に向かって前記第１のテーパー率に対応するテーパー率（例えば、同一のテーパー率または切削により形成可能な程度の若干異なるテーパー率）で縮径して延びる円柱状の内部空間を形成する。また、キャップ部は、下端部を前記センター部の上端部の直径と同一の直径とし、上端に向かって前記センター部の第１のテーパー率以上となる第２のテーパー率（例えば、同一のテーパー率または大きなテーパー率）で縮径し、かつ、下端を開口する一方で上端を閉塞した円筒状をなす。キャップ部は、下端部が前記センター部の上端部に着脱自在に接続されて前記センター部と同心状に延びる。なお、キャップ部は、その内周面により上端に向かって前記第２のテーパー率に対応するテーパー率（同一のテーパー率または大きなテーパー率）で縮径して延びる円柱状の内部空間を形成するよう構成することもできる。請求項１に係る浄水器専用水栓は、更に、吐水パイプ、弁部材及びハンドル部を備える。吐水パイプは、前記キャップ部に装着される。弁部材は、前記ベース部の前記通水空間の上端側に内蔵される。ハンドル部は、前記ベース部の外側において前記弁部材と対応する位置に配設され、前記弁部材を開弁及び閉弁操作自在なよう当該弁部材に作用的に連結されると共に、軸方向が前記ベース部の軸方向に対して上方に所定角度で傾斜する請求項１に係る浄水器専用水栓は、前記ベース部、センター部及びキャップ部により水栓本体を構成して、当該水栓本体の内部空間により浄水カートリッジを収納するカートリッジ内蔵部を構成する。また、請求項１に係る浄水器専用水栓は、前記キャップ部の内周面の下側に、当該キャップ部の上端に向かって所定のテーパー率で縮径するテーパー面を設けると共に、前記キャップ部の内周面において前記テーパー面より上側に段差面を設け、キャップ部のテーパー面の軸方向所定位置の外径を、前記浄水カートリッジの封止部材が当該テーパー面に圧接して水密を維持できる直径以下に設定して、前記テーパー面の軸方向所定位置から前記段差面までの間隔の範囲で、前記浄水カートリッジの上端の吐水端面の位置を調節して、前記キャップ部側の入水孔端面と前記浄水カートリッジの吐水端面との間の距離を増減変更自在としている。
【０００７】
請求項２に係る浄水器専用水栓では、請求項１の構成において、前記キャップ部の段差面と入水端面との間の距離は、前記浄水カートリッジの吐水端面からの浄水が要求入水効率で前記入水端面内に入水するために必要な最小距離に設定すると共に、前記キャップ部のテーパー面の上端を前記浄水カートリッジの上端外径より小径の直径を有して当該浄水カートリッジの上端に当接係止して移動阻止する段差面としている。
【０００８】
請求項３に係る浄水器専用水栓では、請求項１または２の構成において、前記ハンドル部は、前記ベース部の上端側において前記ベース部から上方に傾斜して延びている。
【０００９】
請求項４に係る浄水器専用水栓は、請求項１乃至３のいずれかの構成において、前記キャップ部に前記吐水パイプを装着するための別部品としての上側係止部及び下側係止部を備えている。また、請求項４に係る浄水器専用水栓は、前記キャップ部の中心部に、上側を前記上側係止部を収容自在な小径孔部とし、かつ、下側を前記下側係止部の上側部を収容自在な大径孔部とした貫通孔を形成し、当該上側の小径孔部に前記上側係止部を収容して同軸状に配設すると共に、前記下側の大径孔部に前記下側係止部を螺合により同軸状に装着し、前記上側係止部によって前記吐水パイプの基端部を凹凸の関係で係止して軸方向の移動を規制すると共に、前記下側係止部によって前記吐水パイプの下端面を当接係止してそれ以上の軸方向への移動を阻止するようにしている。
【発明の効果】
【００１０】
請求項１に係る浄水器専用水栓は、十分な浄水能力を有する一方で、シンク上、シンク横またはシンク下の特別な設置スペースを必要とせず、更に、特に設置面に立設される基部部分のデザインを多様化して意匠性を向上することができる。
【００１１】
請求項２に係る浄水器専用水栓は、請求項１の効果に加え、浄水カートリッジの上端がキャップ部内を上方に移動した場合でも、軸方向所定位置に段差面を浄水カートリッジの上端が最大限キャップ部の段差面まで移動したときに、段差面に当接してそれ以上の移動を阻止される。その結果、浄水カートリッジの上端の吐水端面とキャップ部の入水端面との距離が小さくなりすぎて入水端面への入水効率が低下する等の不具合を確実に防止することができる。
【００１２】
請求項３に係る浄水器専用水栓は、請求項１または２の効果に加え、使用者がハンドル部を把持するためのハンドル部と設置面との間隔を大きく確保することができ、使用者は、ハンドル部を把持するために手首を適当な方向に折り曲げたりすることなく、容易にハンドル部を把持して必要な回動操作を行うことができる。
【００１３】
請求項４に係る浄水器専用水栓では、請求項１乃至３のいずれかの効果に加え、吐水パイプの基端部は、軸方向の移動については上側係止部及び下側係止部により確実に規制及び阻止される一方で、周方向への回動は規制されないため、使用状態に応じて、吐水パイプを自由な角度位置に回動して吐水パイプの先端の吐水口を所望の位置に配置することができる。
【図面の簡単な説明】
【００１４】
【図１】図１は本発明の実施の形態１に係る浄水器専用水栓の全体の外観構成を示す斜視図である。
【図２】図２は本発明の実施の形態１に係る浄水器専用水栓の内部構成を示す分解斜視図である。
【図３】図３は本発明の実施の形態１に係る浄水器専用水栓の全体の外観構成を示す正面図である。
【図４】図４は本発明の実施の形態１に係る浄水器専用水栓の全体の外観構成を示す背面図である。
【図５】図５は本発明の実施の形態１に係る浄水器専用水栓の全体の外観構成を示す平面図である。
【図６】図６は本発明の実施の形態１に係る浄水器専用水栓の全体の外観構成を示す底面図である。
【図７】図７は本発明の実施の形態１に係る浄水器専用水栓の全体の外観構成を示す右側面図である。
【図８】図８は本発明の実施の形態１に係る浄水器専用水栓の全体の外観構成を示す左側面図である。
【図９】図９は本発明の実施の形態１に係る浄水器専用水栓の全体の構成を示す断面図である。
【図１０】図１０は本発明の実施の形態１に係る浄水器専用水栓の水栓本体の下側部分を示す要部拡大断面図である。
【図１１】図１１は本発明の実施の形態１に係る浄水器専用水栓の水栓本体の上側部分を示す要部拡大断面図である。
【図１２】図１２は本発明の実施の形態２に係る浄水器専用水栓の全体の構成を示す断面図である。
【発明を実施するための形態】
【００１５】
以下、本発明を実施するための形態（以下、実施の形態という）を説明する。なお、各実施の形態を通じ、同一の部材、要素または部分には同一の符号を付して、その説明を省略する。
【００１６】
実施の形態１
［ベース部１０］
本発明の実施の形態１に係る浄水器専用水栓は、原水吐水機能を有さず、浄水吐水機能のみを有する水栓であり、図１に示すように、設置面から起立する全体として略円筒状の水栓本体１を備えている。水栓本体は、ベース部１０、センター部２０及びキャップ部３０からなる三分割構造（３ピース構造）であり、ベース部１０、センター部２０及びキャップ部３０を互いに螺合等によって着脱自在に連結して同心状（同軸状）に配置し、水密に一体化するようになっている。詳細には、図２に示すように、ベース部１０は、下端部を下方に向かって拡径するテーパー状の部分（皿状部分である座部）とすると共に、それ以外の部分を円筒状の外形としている。なお、ベース部１０の（前記）外形は、軸方向に同一直径で延びる円筒状の外形としてもよく、或いは、（前記テーパー状の下端部以外の部分が）上端に向かって所定のテーパー率で縮径して延びる円筒状の外形としてもよい。また、ベース部１０は、図１０に示すように、内部に通水空間ＷＳ１を形成すると共に、底壁の中心部に、厚さ方向に貫通する断面円形の連通孔１０ａを形成している。更に、ベース部１０は、その内部空間の上部に傾斜壁状の隔壁１１を一体形成し、隔壁１１の一方側の空間を、内部空間の主要容積を占める前記通水空間ＷＳ１とし、他方側の空間をバルブ収容部ＶＳとしている。隔壁１１の中央部には連通孔１１ａが貫通形成され、通水空間ＷＳ１をバルブ収容部ＶＳと連通している。更に、ベース部１０の外周において前記バルブ収容部ＶＳと対向する部位には、短円筒状の支持壁１２が一体形成されている。支持壁１２は、ベース部１０の外周の一側における上端側乃至通水方向の下流側（ベース部１０の上半部）に配設され、その軸心（軸方向）がベース部１０の軸心（軸方向）に対して上方に傾斜して延びている。
【００１７】
また、ベース部１０の上端から下方に所定距離（全軸長の１／４〜１／５程度の距離）を置いた位置には、頂壁１３が一体形成され、ベース部１０の頂壁１３より上側の部分が短円筒状の周壁を形成している。なお、ベース部１０の底壁、周壁（隔壁１１対応部以外の部分）、隔壁１１及び頂壁１３により囲まれる空間が前記通水空間ＷＳ１となり、また、周壁（隔壁１１対応部）及び隔壁１１により囲まれる空間が前記バルブ収容部ＶＳとなっている。また、頂壁１３には、連通孔１３ａが貫通形成され、前記バルブ収容部ＶＳを外部空間（頂壁１３より上方の周壁により囲まれる空間）と連通している。なお、上記のように、ベース部１０は、（前記座部以外の部分）を全体として（テーパー状ではない）単純円筒状としたり、全体を所定のテーパー率で縮径するテーパー状としたりすることもできるが、ベース部１０の頂壁１３より下側の部分を単純円筒状とすると共に上側の周壁部分のみを所定のテーパー率で縮径するテーパー状としたり、ベース部１０の頂壁１３より下側の部分及び上側の部分の双方をテーパー状とすると共にそのテーパー率を相違させたりすることも可能である。一方、頂壁１３の上面の中心部には、図９〜図１９に示すように、小径（頂壁１３の直径の１／３程度の直径）の円盤状をなす載置部１４が、所定高さだけ軸方向に突出して一体形成されている。
【００１８】
［ハンドル部４０・バルブカートリッジ５０］
ベース部１０の支持壁１２には、ハンドル部４０が正逆方向（時計回り方向及び反時計回り方向）に所定角度で回動自在となるよう装着されている。詳細には、ハンドル部４０は、軸方向両端を円形の開口とした円筒状をなす保持部４１と、保持部４１の外周の周方向の所定角度位置に一体的に突出形成された操作片４２とを備えている。また、保持部４１の軸方向一端（頂部）には、対応する円形の遮蔽板４３が着脱自在に嵌合して装着されている。遮蔽板４３の表面（外側面）には、「ＯＰＥＮ」の文字表示が、当該文字表示の「Ｏ」の文字が外周側に来るよう設けられ、また、遮蔽板４３の外周側には、「ＯＰＥＮ」の文字表示の「Ｏ」の文字と連続して円周方向に円弧状に一定間隔で並ぶよう、当該文字表示の「Ｏ」の文字より徐々に小径となる円形状の白抜き状のドット表示が複数個（３個）配置されている。また、遮蔽板４３は、「ＯＰＥＮ」の文字表示の「Ｏ」の文字が前記操作片４２と同一角度位置に来るよう、保持部４１に嵌合装着されている。更に、図１０に示すように、ハンドル部４０の内部には、小径の円筒状の支持部４６が同心状となるよう一体形成され、支持部４６内には、インサートブッシュ４４を介して、座金付きナベビス等からなる駆動軸４５が回動自在に挿通されている。なお、駆動軸４５は、前記遮蔽板４３により外部から遮蔽及び保護されている。
【００１９】
一方、図１０に示すように、ベース部１０のバルブ収容部ＶＳ内には、バルブカートリッジ５０が収容して装着されている。バルブカートリッジ５０は、軸方向の一端側（図１０の左斜め下側）にセラミックディスクからなる弁部材としての止水バルブを内蔵したカートリッジであり、当該セラミックバルブを前記隔壁１１の連通孔１１ａに対向配置している。また、バルブカートリッジ５０の軸方向の他端側には六角ナット等からなる駆動部５１が配設され、ハンドル部４０の内部において、駆動軸４５の先端に駆動部５１が同心状となるよう一体的に固着され、ハンドル部４０とセラミックカートリッジ５０とを一体的に回動するよう互いに連結固定している。ハンドル部４０の保持部４１や操作片４２を手指により正逆方向に所定角度で回動操作することにより、駆動軸４５及び駆動部５１を介して、バブルカートリッジ５０のセラミックバルブが回転動作され、ベース部１０の通水空間ＷＳ１内の原水を前記連通孔１１ａを介してセラミックバルブ内部に導入通水及び通水遮断する弁開閉動作を行うようになっている。そして、バルブカートリッジ５０のバブル開状態では、前記通水空間ＷＳ１１の（水源に応じた所定動水圧の）原水が、連通孔１１ａ及びセラミックバルブから前記連通孔１３ａを介して外部空間（頂壁１３より上方のベース部１０の上端部の周壁により囲まれる空間）に流出するようになっている。
【００２０】
［センター部２０］
図９に示すように、センター部２０は、下端部をベース部１０の上端部の直径と同一の直径とし、上端に向かって第１のテーパー率で縮径する円筒状をなしている。また、センター部２０は、軸方向両端を円形に開口した円筒状をなしている。センター部２０は、下端がベース部１０の上端に螺合によって着脱自在に接続されてベース部１０と同心状に延びるようになっている。即ち、ベース部１０の上端部の外周面には雄螺子が、センター部２０の下端部の内周面には対応する雌螺子が形成され、ベース部１０の雄螺子をセンター部２０の雌螺子に螺入して接続すると共に、それら雄螺子と雌螺子との間にＯリングＯを装着してベース部１０とセンター部２０との接続部分の水密を維持している。更に、センター部２０は、図９に示すように、その内周面により、前記上端に向かって前記第１のテーパー率で縮径して延びる円柱状（上方に向かって当該第１のテーパー率で先細となる円柱状乃至円錐台状）の内部空間を形成している。なお、センター部２０の第１のテーパー率は、好ましくは、２〜５％の範囲、更に好ましくは、３〜４％の範囲（例えば、３．５％程度）とすることができる。センター部２０をベース部１０に接続した状態で、ベース部１０の上端部の周壁（頂壁１３より上側の部分）の内部空間とセンター部２０の内部空間とが連通して一体的な通水空間ＷＳ２を形成している。そして、水栓本体１０の下側の通水空間ＷＳ１と上側の通水空間ＷＳ２とが、ベース部１０の頂壁１３によって水密に区画され、前記隔壁１１の連通孔１１ａ、バルブカートリッジ５０及び頂壁１３の連通孔１３ａを介して連通自在となっている。
【００２１】
［キャップ部３０］
図１１（ａ）に示すように、キャップ部３０は、下端部をセンター部２０の上端部の直径と同一の直径とし、上端に向かって第２のテーパー率で縮径する円筒状をなしている。キャップ部３０の第２のテーパー率は、センター部２０の第１のテーパー率以上のテーパー率（同一のテーパー率または大きなテーパー率）となっている。なお、キャップ部３０の第２のテーパー率は、好ましくは、６〜１０％の範囲、更に好ましくは、７〜９％の範囲（例えば、８％程度）とすることができる。即ち、センター部２０の第１のテーパー率とキャップ部３０の第２のテーパー率とを比較した場合、キャップ部３０の第２のテーパー率は、センター部の第１のテーパー率の約２倍程度とすることができる。また、キャップ部３０は、下端を開口する一方で上端を閉塞した円筒状をなしている。キャップ部３０は、下端部がセンター部２０の上端部に着脱自在に接続されてベース部１０及びセンター部２０と同心状に延びるようになっている。即ち、センター部２０の上端部の外周面には雌螺子が、キャップ３０の下端部の内周面には対応する雄螺子が形成され、センター部２０の雌螺子にキャップ部３０の雄螺子を螺入して接続すると共に、それら雌螺子と雄螺子との間にＯリングＯを装着してセンター部２０とキャップ部３０との接続部分の水密を維持している。更に、キャップ部３０の内部には、上端の頂壁と同心状となるよう略短円筒状の支持壁３１が一体形成されている。支持壁３１の下端はキャップ部３０の軸方向の略中央位置まで延びている。支持壁３１の中心部の貫通孔は、上側（軸方向の略上半部）の小径の貫通孔と下側（軸方向の略下半部）の大径の貫通孔とからなる段差付きの孔（段付孔）となっている。支持壁３１の貫通孔は、上側の小径の貫通孔の上端がキャップ部３０の上面の中心部で所定直径となって（即ち、当該小径の貫通孔の直径で）円形に開口している。そして、支持壁３１の上側の小径の貫通孔には、当該小径の貫通孔の直径と同一の外径を有するパイプブッシュからなる上側係止部３２が上方から挿入及び嵌合（即ち、密嵌）して装着されている。上側係止部３２の軸長は、支持壁３１の小径の貫通孔の軸長と同一に設定され、上側係止部３２の下端が支持壁３１の小径の貫通孔と大径の貫通孔との間の段差面の位置（即ち、小径の貫通孔の下端乃至大径の貫通孔の上端）と一致すると共に、上端が支持壁３１の小径の貫通孔の上端と一致してキャップ部３０の上面と面一となるように、上側係止部３２が所定位置に配置されている。また、上側係止部３２の内周面の上端側の所定位置（上端から下方に所定距離を置いた位置）には、内方（放射方向の内側）に向かって突出するリング状の係止凸部３２ａが一体形成されている。
【００２２】
［下側係止部３３］
支持壁３１の下側の大径の貫通孔には、装填式水栓上部からなる下側係止部３３が嵌合して装着されている。下側係止部３３は、支持壁３１の当該大径の貫通孔の直径と同一の外径を有し、かつ、当該大径の貫通孔の軸長と同一の軸長を有する円筒状の小径部と、支持壁３１の外径と同一の外径を有する円環板状またはフランジ状の大径部とからなる段差付きまたはフランジ付きの円筒状をなしている。そして、下側係止部３３は、支持壁３１の大径の貫通孔の内部に小径部を螺合等して挿着し、大径部を支持壁３１の下端面に当接させた状態で、支持壁３１に一体的に固定されるようになっている。このとき、下側係止部３３の大径部の外周面は支持壁３１の外周面と同一直径となって一体的な円筒状の外周面を構成する。また、下側係止部３３の小径部は、上端が支持壁３１の小径の貫通孔と大径の貫通孔との間の段差面の位置（即ち、小径の貫通孔の下端乃至大径の貫通孔の上端）と一致すると共に、下端が支持壁３１の下端と一致する。更に、下側係止部３３の中心部の貫通孔は、上側（前記小径部にほぼ対応する部分）の小径の貫通孔と下側（前記大径部にほぼ対応する部分）の若干大径の貫通孔とからなる段差付きの孔（段付孔）となっている。下側係止部３３の上側の小径の貫通孔は、前記上側係止部３２の内径と同一の内径を有する円形の貫通孔（上側係止部３２の円形の貫通孔と同一形状で同一寸法の円形の貫通孔）となっており、上側の小径の貫通孔の内周面（内壁面）の位置が、上側係止部３２の厚みと同一の寸法だけ支持壁３１の小径の貫通孔の壁面から内方（半径方向）に位置して、上側係止部３２の内周面（内壁面）と一致している。そして、支持壁３１の小径の貫通孔に上方から挿入された上側係止部３２の下端が、支持壁３１の大径の貫通孔内にある下側係止部３３の上端面に当接して、上側係止部が前記所定位置に配置されると共に、上側係止部３２から下側係止部３３の小径の貫通孔まで同一直径で連続する円形孔が形成されるようになっている。
【００２３】
一方、下側係止部３３の下側の大径の貫通孔は、所定寸法の断面正六角形状（六角ナット状）をなす流路孔３３ａとなっている。また、下側係止部３３の流路孔３３ａの寸法は、前記上側の小径の貫通孔の直径（及び、上側係止部３２の内径）より若干の寸法（微小寸法）だけ小さく設定されている。即ち、六角ナット状の外形を有する挿通孔３３ａの対向端面間の間隔（直径方向に対向する平行な一対の端面間の間隔）は、上側の小径の貫通孔の直径（及び、上側係止部３２の内径）より吐水パイプ９０の（周壁の）厚み分だけ小さい寸法に設定されている。そして、下側係止部３３の小径の貫通孔と大径の貫通孔との間の境界面に、当該小径の貫通孔の円形と大径の貫通孔の六角ナット形状との相違に応じた段差形状の係止面３３ｂが形成されている。即ち、当該大径の貫通孔の正六角形が当該小径の貫通孔の円形に内接して、小径の貫通孔の円周方向に合計６個の円弧形状の係止面３３ｂが形成されている。このようにしてキャップ部３０の中心部に装着した上側係止部３２及び下側係止部３３には、吐水パイプ９０の基端部が挿入及び嵌合（密嵌）して保持されている。具体的には、吐水パイプ９０の基端部は、前記上側係止部３２の係止凸部３２ａに対応する位置（下端から上方に前記上側係止部３２の下端から係止凸部３２ａまでの距離と同一距離だけおいた位置）に、係止凸部３２ａのリング形状と対応するリング溝形状をなす係止凹部９１を形成し、上側係止部３２に吐水パイプ９０の基端部を挿入することにより、係止凹部９１内に係止凸部３２ａを嵌合及び係止自在である。これにより、キャップ部３０に上側係止部３２及び下側係止部３３を装着した状態で、吐水パイプ９０の基端部を上側係止部３２に挿入すると、吐水パイプ９０の基端部が上側係止部３２によって軸方向への移動不能となるよう保持されるようになっている。また、このとき、吐水パイプ９０の基端（下端）が、下側係止部３３の係止面３３ｂに当接して軸方向に位置決めされると共に、キャップ部３０の内方（軸方向の奥側）へのそれ以上の移動を阻止されるようになっている。この吐水パイプ９０の装着状態では、吐水パイプ９０の下端開口及び内部流路が、下側係止部３３の流路孔３３ａと連通し、流路孔３３ａを介してキャップ部３０の内部空間と連通するようになっている。なお、支持壁３１と下側係止部３３との間、及び、下側係止部３３と吐水パイプ９０（係止凹部９１より下端側の部分）との間には、それぞれ、封止部材としてのＯリングＯが介装されてそれらの間での水密を維持している。
【００２４】
また、キャップ部３０の内周面と支持壁３１の外周面との間には、支持壁３１の軸長と同一長さの円筒状をなす狭小空間ＮＳが形成されている。狭小空間ＮＳは、キャップ部３０の内周面の内径と同一の外径、及び、支持壁３１の外周面の外径と同一の内径を有する円筒状の空間であり、その分の肉抜きによってキャップ部３０を軽量化している。また、キャップ部３０の内周面の軸方向所定位置（下側係止部３３の下端面から下方に所定距離を置いた位置）には、リング状の段差面３４が形成されている。段差面３４の位置は、下側係止部３３の下端から前記円筒状の狭小空間ＮＳの厚みと同程度の寸法だけ下方の位置となるように設定されている。ここで、キャップ部３０は、その下端面から前記段差面３４までの間の軸方向範囲において、その内周面が上端（段差面３４）に向かって所定のテーパー率で縮径して延びるテーパー面３５となっており、上方に向かって（下端から段差面３４まで）当該所定のテーパー率で先細となる円柱状乃至円錐台状の内部空間を形成している。なお、テーパー面３５のテーパー率は、キャップ部３０の外周面のテーパー率である前記第２のテーパー率と同一としてもよく、或いは、相違するテーパー率（例えば、若干小さいテーパー率）としてもよい。
【００２５】
即ち、キャップ部３０は、底面側から見た底面視で、図１１（ｂ）に示すように、下端の円形開口より所定距離だけ放射方向内方に段差面３４の円形の輪郭線（外側及び内側の輪郭線からなる二重の円形）が表れ、その内方に狭小空間ＮＳの円形の輪郭線（外側及び内側の輪郭線からなる二重の円形）が表れるようなテーパー状の内周面構成を備えている。なお、下側係止部３３の外形線（外側の輪郭線）は狭小空間ＮＳの内側の輪郭線と一致して表れる（即ち、下側係止部３３はテーパー状ではなく、軸方向に同一直径の断面円形状の外周面を有している）。これにより、円筒状の狭小空間ＮＳは、下側係止部３３の外周面により構成される内周側、及び、キャップ部３０の段差面３４より上側の内周面により構成される外周側の双方が単純円筒状となるが、例えば、キャップ部３０の段差面３４より上側の内周面を所定のテーパー率で縮径するテーパー状とすることにより、狭小空間ＮＳの外周面側を当該キャップ部３０のテーパー面のテーパー率で縮径するようにし、狭小空間ＮＳの厚みを先細となるよう（上端に向かって縮径するテーパー状の狭小空間ＮＳとなるよう）形成することもできる。
【００２６】
ここで、典型的には、ベース部１０は、青銅等の所定の金属を上記形状及び構造となるよう鋳造することにより製造され、センター部２０及びキャップ部３０は、それぞれ、黄銅（真鍮）等の所定の金属を上記形状及び構造となるよう切削等することにより製造される。このとき、センター部２０及びキャップ部３０は、軸方向全体を通して同一肉厚とすることもできるが、特にキャップ部３０は、下端から上端に向かって徐々に薄肉となるよう形成することもできる。
【００２７】
［水栓本体のカートリッジ内蔵部］
水栓本体は、前記ベース部１０の上端にセンター部２０を螺合し、センター部２０の上端にキャップ部３０を螺合することで一体化される。また、ベース部１０とセンター部２０との接合部分（螺合部分）、及び、センター部２０とキャップ部３０との接合部分（螺合部分）には、それぞれ、封止部材としてのＯリングＯが介装されてそれらの間での水密を維持している。これにより、ベース部１０の頂壁１３とキャップ部３０の頂壁（並びに、支持壁１１及び下側係止部３３）との間に、ベース部１０の頂壁１３より上側の周壁、センター部２０の全周壁及びキャップ部３０の周壁により囲まれる水栓本体の内部空間が形成される。そして、かかる水栓本体１の内部空間が、所定の浄水カートリッジ１００を内蔵するカートリッジ内蔵部として機能する。この浄水カートリッジ１００は、原水に含まれる所定の物質を除去する（典型的には５項目の物質を除去する）ためのものであり、吸着ろ過部としての円筒状（外観は円柱状）の活性炭部１１０と、膜分離ろ過部としての円柱状の中空糸膜部１２０とを同軸状となるよう連結した段付きの円筒状をなす。活性炭部１１０は、円筒状の活性炭１１１を上下のキャップ状の保持部１１２，１１３間に挟持したものであり、その中心部を円柱状の流路１１４が軸方向に延びている。また、中空糸膜部１２０は、円筒状のケース１２１内に中空糸膜１２２を充填したものであり、ケース１２１の上端の円形の開口で中空糸膜１２２がポッティングされ、中空糸膜１２２の各中空糸の開口端が開口して吐水端面１２３を構成している。なお、ケース１２１の上端部の外周面には、リング溝１２１ａが形成され、リング溝１２１ａ内に封止部材としてのＯリングＯが装着されている。そして、浄水カートリッジ１００では、原水は、まず、活性炭部１１０の活性炭１１１の外周面から流路１１４内に流入し、その過程で活性炭によって所定の複数種類の有害物質（典型的には残留塩素や重金属等の３項目の有害物質）が吸着除去され、その後、流路１１４から中空糸膜部１２１のケース１２１の内部空間に流入して、中空糸膜１２２により所定の物質（細菌や濁り成分等）が膜分離され、このようにして浄化された浄水が、吐水端面１２３から吐出される。ここで、特に、キャップ部３０は、上水カートリッジ１００の装着及び交換のために、センター部２０に着脱される回数が多いため、センター部２０の上端部の螺子（雌螺子）及びキャップ部３０の下端部の螺子（雄螺子）は、多条螺子（例えば、４条螺子）として、通常の螺子の場合よりも小さい回動角度でキャップ３０をセンター部に着脱できる構成とすることが好ましい。一方、ベース部１０の上端部の螺子及びセンター部２０の下端部の螺子は、多条螺子とすることも可能であるが、着脱の回数は相対的に少ないため、通常の螺子（１条螺子）とすることが好ましい。
【００２８】
［交換時期ダイヤル８０］
図１等に示すように、キャップ部３０の上面には、交換時期ダイヤル８０が配設されている。交換時期ダイヤル８０は、円形リング状をなす回動部８１と、回動部８１の外周部の周方向の所定角度位置に一体的に突出形成された操作片８２と、回動部８１の外周を囲むよう同心状に密接して接合されるダイヤル部８３とを備えている。ダイヤル部８３の表面（上側面）には、「次回交換月」の文字表示と共に、交換時期を月単位で表す「３」、「６」「９」、「１２」の数字と、それらの月数の間の月に相当する数の「Ｏ」の文字とが、連続して円周方向に一定間隔で並ぶよう配置されている。ダイヤル部８３の外径は、キャップ部３０の外径より所定寸法（若干寸法）だけ小さく設定されている。一方、回動部８１は、中心部に、吐水パイプ９０の外径に対応する（若干大径の）円形孔を貫通形成し、当該円形孔を介して吐水パイプ９０を挿通し、キャップ部３０の上面に載置して回動自在に保持されている。このとき、ダイヤル部８３の外周縁がキャップ部３０の上面の外周縁との間に若干の隙間を置いて配置されている。一方、ダイヤル部８３は、キャップ部３０の上面に回動不能に固定されている。
【００２９】
図９及び図１１に示すように、回動部８１の円形孔の内周縁部とダイヤル部８３の内周縁部との間（即ち、回動部８１とダイヤル部８３との対向周縁部間）には、当該対向周面の形状に対応する円形リング状の位置決め部材８４が介装して配設されている。位置決め部材８４は、その内周縁部が回動部８１の内周縁部と凹凸係合や接着等の手段によって回動部８１に対して一体回動するよう保持及び固定されている。また、位置決め部材８４の外周縁部には、一定間隔で所定個数の凹部または凸部からなる係合部が形成されると共に、ダイヤル部８３の内周縁部には、前記位置決め部材８４の係合部と同一の一定間隔で同一の所定個数の凸部または凹部からなる係止部が形成されている。位置決め部材８４の係合部とダイヤル部８３の係止部は互いに凹凸の関係で係合自在である。また、位置決め部材８４の係合部及びダイヤル部８３の係止部の個数は、前記ダイヤル部８３の月表示の数（１２か月）に対応して１２個とされている。なお、位置決め部材８４の係合部及びダイヤル部８３の係止部を互いに係合状態としたときには、いずれの係合位置でも、前記操作片８２がダイヤル部８３の月表示のいずれかの位置に合致するようになっている。即ち、操作片８２は、そのような円周方向角度位置に配置されて、月表示を指示する指示部をも構成している。これにより、操作片８２を介して回動部８１を正逆いずれかの方向に回動することで、回動部８１をダイヤル部８３に対して前記係合部及び係止部の間隔でクリック感を持って所定角度ずつ回動することができ、これにより、操作片８２をダイヤル部８３のいずれかの所望の月表示に合致するよう配置することができる。
【００３０】
［取付部６０］
水栓本体１は、上記のように吐水パイプ９０を装着した状態で、キッチンシンク等の設置面の所定位置、例えば、キッチンシンクの既設の湯水混合水栓の側方に隣接した位置に、取付部６０によって取り付けて固定される。取付部６０は、ネジ棒６１と、座ゴムパッキン６２と、発泡パッキン６３と、菊座金６４と、六角ナット状の締結具６５とからなる。ネジ棒６１は、その上端がベース部１０の底壁の中心部に同軸状となるよう連結して固定され、ベース部１０の下面から下方に直交して所定軸長で延びている。また、ネジ棒６１は、外周面に所定ピッチで雄螺子を螺刻形成すると共に、断面円形の流水孔を軸芯に沿って貫通形成したものであり、上端の円形開口がベース部１０の内部空間ＷＳ１と対面配置され、これにより、水源の原水を流水孔を介して上端の円形開口からベース部１０の内部空間ＷＳ１に供給するようになっている。また、座ゴムパッキン６２は、ベース部１０の下面の直径より若干小径の円形リング状をなし、その中心部にネジ棒６１の外径に対応する円形孔を形成したものであり、ネジ棒６１の下端から挿通してベース部１０の下面に当接配置されるようになっている。発泡パッキン６３は、座ゴムパッキン６２と同一直径の円形リング状をなし、その中心部にネジ棒６１の外径に対応する円形孔を形成したものであり、ネジ棒６１の下端から挿通して座ゴムパッキン６２の下面に当接配置されるようになっている。菊座金は、発泡パッキン６３より小径の円形リング状をなし、その中心部にネジ棒６１の外径に対応する円形孔を形成したものである。結具６５は、ネジ棒６１に螺合する六角ナット状である。非使用状態では、座ゴムパッキン６２、発泡パッキン６３及び菊座金６４は、この順番でネジ棒に挿通された状態で、ネジ棒６１の基端（ベース部１０の下面）と締結具６５との間に配置される。
【００３１】
［逆止弁部材７０］
ネジ棒６１の下端には、逆止弁部材７０が同軸状に連結されている。逆止弁部材７０は、ネジ棒６１の下端部に螺合して連結自在（及び取外し自在）なネジ部７１と、ネジ部７１の下端から同軸状に下方に延びる収容部７２とを備えている。逆止弁部材７０は、ネジ部７１及び収容部７２を軸心に沿って貫通する連通孔を有し、ネジ部７１によるネジ棒６１への連結状態で、連通孔を介してネジ棒６１の流水孔と連通するようになっている。また、ネジ部７１は袋ナット状または六角ナット状の外形を有し、内部底面に綿入り合成ゴム等からなる円形リング状のパッキン７３を収容配置している。パッキン７３の外径はネジ部７１の内径と同一とされ、また、中心部の円形穴の直径は連通孔の直径と同一とされている。更に、収容部７２の内部（連通孔部分）には、逆止弁７４が装着して固定されている。これにより、逆止弁部材７０は、ネジ部７１をネジ棒６１に螺合して連結した状態で、逆止弁７４が、原水の供給源（水源）とネジ棒６１との間（流水経路上）に配置されることになり、ベース部１０の通水空間ＷＳ１内部の水（浄水）がネジ棒６１の流水孔から水源へと逆流するのを逆止弁７４によって防止するようになっている。
【００３２】
［取付部６０による取付け］
本実施の形態の浄水器専用水栓は、キッチンシンク等の設置面の所定位置、例えば、キッチンシンクの既設の湯水混合水栓の側方に隣接した位置に、水栓本体１を取付部６０によって取り付けて固定することで設置される。具体的には、まず、ネジ棒６１から逆止弁部材７０を取り外すと共に、菊座金６４及び締結具６５を取り外し、座ゴムパッキン６２及び発泡パッキン６３のみを残した（装着した）状態で、ネジ棒６１を接地対象（シンクの上板等）に形成した対応する直径の円形孔に上方から挿通し、座ゴムパッキン６２及び発泡パッキン６３をベース部１０の下面と接地対象の上面との間に介装し、座ゴムパッキン６２及び発泡パッキン６３に緩衝効果を発揮させる。次に、ネジ棒６１の下端から発泡パッキン６３及び菊座金６４をこの順番で挿通し、締結部６５をネジ棒６１に螺入して締め付ける。これにより、座ゴムパッキン６２及び発泡パッキン６３を介して、ベース部１０の下面と菊座金６４との間で設置対象を締結具６５により締結し、浄水器専用水栓の全体を設置対象の設置面に立設して固定する。その後、ネジ棒６１の下端にネジ部７１を完全に螺入して逆止弁部材７０を連結し、逆止弁部材７０の収容部７２の下端に配管ホース等を介して水源側の配管部材（分岐栓等）を連結する。これにより、水源からの原水を浄水器専用水栓の内部通水空間ＷＳ１，ＷＳ２等に供給することができるようになる。なお、前記座ゴムパッキン６２は、設置対象に形成した取付用の貫通孔から下方に水が漏れるのを防止する。
【００３３】
［浄水カートリッジ１００の装着］
浄水カートリッジ１００は、図２に示すように、ベース部１０にセンター部２０を完全に螺合して装着すると共に、センター部２０からキャップ部を取り外した状態で、センター部２０の上端開口を介して内部に挿入自在（及び内部から抜取自在）である。この状態から、センター部２０の上端にキャップ部３０を完全に螺合して装着することで、水栓本体１の内部空間に浄水カートリッジ１００を収納して装着することができる。このとき、図９〜１１に示すように、ベース部１０の載置部１４の上面とキャップ部３０の段差面３４との間の間隔（軸方向寸法）が、浄水カートリッジ１００の最大収容寸法（収容可能な浄水カートリッジ１００の最大軸長）を規定している。即ち、水栓本体１は、内部に前記最大収容寸法までの軸長の浄水カートリッジ１００を収納自在であり、最大収容寸法の範囲で、浄水カートリッジ１００の寸法の相違に対応可能となっている。また、このとき、キャップ部３０の段差面３４より下側のテーパー面３５は、上端の最小直径部の直径が、浄水カートリッジ１００の中空糸膜部１２０の最大直径（ケース１２１の最大外径）と同一とされ、下端の最大直径部の直径が、中空糸膜部１２０の最大直径より所定寸法だけ（即ち、そのテーパー率に応じた上端と下端との間の寸法差の分だけ）大きくなっている。そして、浄水カートリッジ１００を水栓本体１に装着した状態で、中空糸膜部１２０の上端部のＯリングＯがキャップ部３０のテーパー面３５に弾性的に接触し、テーパー面３５との間での水密を維持する。これにより、中空糸膜部１２０の上端部のＯリングＯより上側の内部空間と、ＯリングＯより下側の内部空間との間を水密に遮断する。
【００３４】
即ち、このとき、水栓本体１の内部では、浄水カートリッジ１００の底面の中心部がベース部１０の載置部１４に載置され、活性炭部１１０の下面とベース部１０の頂壁１３の上面との間に、載置部１４部分を除いて、円形リング状の隙間空間が形成される。また、浄水カートリッジ１００の活性炭部１１０の全体及び中空糸膜部１２０の主要部（上端部を除く大部分）は、ベース部１０及びセンター部２０内の通水空間ＷＳ２内に配置される。更に、ベース部１０の通水空間ＷＳ１が、弁収容部ＶＳのバルブカートリッジ５０及び通水孔１３ａを介して、前記円形リング状の隙間空間と連通し、当該円形リング状の隙間空間を介して通水空間ＷＳ２と連通する。これに対し、浄水カートリッジ１００の中空糸膜部１２０の上端部は、キャップ部３０の内部に配置される。このとき、ケース１２１の外周のＯリングＯがキャップ部３０のテーパー面３５に弾性的に圧接し、ＯリングＯより下側には、ケース１２１の外周面とキャップ部３０のテーパー面３５との間に、下方に向かって（前記テーパー面３５のテーパー率で拡径する）テーパー状の微小隙間空間が形成される。この微小隙間空間は、前記通水空間ＷＳ２と連通する。また、中空糸膜部１２０の上端にある吐水端面１２３は、キャップ部３０の下側係止部３３の下面全面及び前記狭小空間ＮＳの内周側の一部と対向配置される。このとき、浄水カートリッジ１００の全軸長が前記水栓本体内部の最大収容寸法に満たない場合は、吐水端面１２３の位置は、キャップ部３０の段差面３４の位置よりその分だけ（前記最大収容寸法と全軸長との差の分だけ）下方になり、下側係止部３３の下面中心部で開口する挿通孔３３ａの下端との距離は、下側係止部３３の下端から段差面３４までの距離より当該差の分だけ大きくなる。
【００３５】
［浄水カートリッジ１００の位置調節］
一方、浄水カートリッジ１００は、センター部２０の上端開口からベース部１０のキャップ部３０の内部に挿入して載置部１４に載置する以外に、キャップ部３０に押し込んで固定した後、センター部２０の上端開口からベース部１０のキャップ部３０の内部に挿入して収容することもできる。即ち、この場合、浄水カートリッジ１００のＯリングＯが、キャップ部３０のテーパー面３５に案内されて内方（軸方向の奥側、即ち、下側係止部３３に向かう方向）に進むにつれ、ＯリングＯが徐々に弾性的に圧縮され、ＯリングＯの弾性圧縮による反発力によって、浄水カートリッジ１００の上端部（ＯリングＯ部分）がキャップ部３０の内部に保持される（意図して引き抜く力を加えない限り、その位置を保持する）。そして、浄水カートリッジ１００は、最大限、中空ケース１２１の上端が段差面３４に当接するまで押し込まれたときに、段差面３４によってそれ以上の進入を阻止される。したがって、キャップ部３０のテーパー面３５の軸方向所定位置の外径（例えば、最大直径となる下端の外径）を浄水カートリッジのＯリングＯの動作外径（即ち、封止部材としてのＯリングＯがテーパー面３５に圧接して水密を維持できる直径であり、非圧縮状態の外径より若干小さい直径）以下に設定することで、当該テーパー面３５の軸方向所定位置から段差面３４までの間隔の範囲で、浄水カートリッジ１００の吐水端面１２３の位置を調節して、キャップ部３０側の入水孔端面となる下側係止部３３の流路孔３３ａの下端と浄水カートリッジ１００の吐水端面１２３との間の距離を増減変更して最適値となるように調整することが可能である。なお、このとき、浄水カートリッジ１００の全軸長は、ベース部１０における浄水カートリッジ１００の下端の当接位置である載置部１４上面の位置からキャップ部３０のテーパー面３５の前記軸方向所定位置（ＯリングＯが水密機能を発揮する弾接位置）までの距離以下の寸法とする必要がある。即ち、キャップ部３０側の入水孔端面となる下側係止部３３の流路孔３３ａの下端と浄水カートリッジ１００の吐水端面１２３との間の距離（間隔）は、吐水端面１２３の直径（ケース１２１の上端開口の内径にほぼ一致）、外形（輪郭）、総面積等に応じて、適宜設定変更することが好ましい場合があり、実施の形態１では、このような吐水端面１２３の位置の設定変更を前記テーパー面の前記軸方向所定位置から段差面までの間の範囲で自由に行うことができる。
【００３６】
［浄水カートリッジ１００の移動規制］
また、本実施の形態では、浄水カートリッジ１００の吐水端面１２３とキャップ部３０の入水端面（流路孔３３ａの下端）との最小間隔を規定する段差面３４と流路孔３３ａとの間の距離は、使用予定の全ての浄水カートリッジ１００を想定して、当該浄水カートリッジの（各種の外形形状等を有する）吐水端面１２３からの浄水が必要な入水効率（規格等によって要求される入水効率、即ち、要求入水効率）で入水端面としての流路孔３３ａ内に入水するために必要な最小距離に設定している。ここで、ベース部１０の連通孔１３ａからの原水流入による水圧によって、載置部１４上の浄水カートリッジ１００の下面に上方への圧力が発生し、浄水カートリッジ１００のＯリングＯとキャップ部３０のテーパー面３５との弾接状態に応じた位置保持力によっては、浄水カートリッジ１００が通水空間ＷＳ２内を上方に移動する可能性もある。しかし、本実施の形態では、キャップ部３０のテーパー面３５の上端を浄水カートリッジ１００の上端外径より小径の直径を有して浄水カートリッジ１００の上端に当接係止して移動阻止する段差面３４としているため、浄水カートリッジ１００の上端がキャップ部３０内を上方に移動した場合でも、軸方向所定位置に段差面を浄水カートリッジ１００の上端が最大限キャップ部３０の段差面３４まで移動したときに、段差面３４に当接してそれ以上の移動を阻止される。その結果、浄水カートリッジ１００の上端の吐水端面１２３とキャップ部３０の入水端面である流路孔３３ａ下端との距離（通水間隔）が小さくなりすぎて流路孔３３ａへの入水効率が低下する等の不具合を確実に防止することができる。また、本実施の形態によれば、上記のような作用効果を発揮するキャップ部３０の入水端面（流路孔３３ａの下端）と段差面３４との間の間隔は、下側係止部３３の大径部の厚みを増減変更することでも増減変更することができる。したがって、異なる厚みの大径部を有する下側係止部３３を複数用意し、必要とされるキャップ部３０の入水端面（流路孔３３ａの下端）と段差面３４との間の間隔に応じて、それら複数の下側係止部３３から、最適な厚みの大径部を有するものを選択してキャップ部３０に装着することで、浄水カートリッジ１００の仕様（軸長や吐水端面１２３の構成等）に応じて、キャップ部３０の入水端面（流路孔３３ａの下端）と段差面３４との間の間隔を最適な値に容易に設定することもできる。
【００３７】
［ハンドル部４０の操作性］
上記のようにして、水栓本体１内に浄水カートリッジ１００を装着した浄水器専用水栓では、ハンドル部４０を止水位置から吐水位置に回動して切り替える（吐水位置とする）ことにより、バルブカートリッジ５０のセラミックバルブを開弁状態とし、水源からの原水を、前記逆止弁部材７０及びネジ棒６１から下側の通水空間ＷＳ１内に導入し、バルブカートリッジ５０を介して連通孔１３ａから上側の通水空間ＷＳ２へと供給することができる。このとき、浄水器専用水栓が配置される設置場所の高さ位置は、通常は、使用者の視線の位置よりかなり下方の位置となるのに対応して、ハンドル部４０がベース部１０の上端側に設けられると共に上方に傾斜して延びているため、ハンドル部４０の遮蔽板４３の表面にある文字表示が、（特に遮蔽板４３を正面方向にまたはそれに近い方向から見た場合）使用者の視線の向かう方向に対応して配置されることになり、使用者が遮蔽板４３の文字表示を容易に視認することができる。また、従来のようにハンドル部が水栓の基端付近（設置面に近接する位置）で水平に延びる場合、使用者がハンドル部を把持するためのハンドル部と設置面との間隔が小さくなり、使用者がハンドル部を把持するためには手首を適当な方向（例えば、ハンドル部の配置態様に合わせて不自然な方向）に折り曲げたりする必要があるが、本実施の形態では、ハンドル部４０がベース部１０の上側で上方に傾斜して延びるため、使用者がハンドル部４０を把持するためのハンドル部４０と設置面との間隔を大きく確保することができ、使用者は、ハンドル部を把持するために手首を適当な方向に折り曲げたりすることなく、容易にハンドル部４０を把持して必要な回動操作を行うことができる。特に、使用状態によっては、使用者がハンドル部４０の正面側または正面側に近い方向からハンドル部４０を把持して回動することも考えられるが、この場合、従来のように設置面付近で水平に延びるハンドル部の場合は、使用者が手首を手前側に折り曲げないとハンドル部を把持することができないのに対し、本実施の形態では、ハンドル部４０が従来よりも上方の位置で上方に傾斜して延びるため、使用者は、手首をあまり折り曲げなくてもハンドル部４０の保持部４１及び操作片４２を円滑に把持することができる。更に、本実施の形態によれば、ハンドル部４０がベース部１０の上端側に設けられると共に上方に傾斜して延びているため、浄水器専用水栓の設置場所においてその周辺を掃除する場合等において、ハンドル部４０の下側に十分なスペースを確保することができ、掃除等の各種作業を円滑かつ容易に行うことができる。
【００３８】
［吐水パイプ９０の固定］
また、本実施の形態では、上記のように、水栓本体のキャップ部３０に吐水パイプ９０を装着するために、別部品としての上側係止部３２及び下側係止部３３を備え、キャップ部３０の中心部の貫通孔の上側の小径孔部に上側係止部３２を収容して同軸状に配設すると共に、下側の大径孔部に下側係止部３３を螺合により同軸状に装着し、上側係止部３２の係止凸部３２ａによって吐水パイプ９０の基端部の係止凹部９１を凹凸の関係で係止して軸方向の移動を規制すると共に、下側係止部３３の係止面３３ｂによって吐水パイプ９０の下端面（基端面）を当接係止してそれ以上の軸方向への移動を阻止している。したがって、本実施の形態では、吐水パイプ９０の基端部をキャップ部３０の中心部の貫通孔に上方から挿入するだけで、吐水パイプ９０の基端部を上側係止部３２によって保持して軸方向両側（押し込み方向及び抜き取り方向の両方向）へ移動規制すると共に、下側係止部３３によって押し込み方向への移動を完全に阻止して、吐水パイプ９０をキャップ部３０の定位置に確実に位置決めして装着保持し、かつ、その定位置に安定的に固定することができる。また、このとき、上側係止部３２及び下側係止部３３は、上記凹凸の関係による係止及び当接係止によって吐水パイプ９０の基端部の軸方向の移動を規制する一方で、吐水パイプ９０の回動を規制するものではない（即ち、単に吐水パイプ９０の回動を許容する構成である）ため、吐水パイプ９０の基端部は、軸方向の移動については上側係止部３２及び下側係止部３３により確実に規制及び阻止される一方で、周方向への回動は規制されないため、使用状態に応じて、吐水パイプ９０を自由な角度位置に回動して吐水パイプ９０の先端の吐水口を所望の位置に配置することができる。
【００３９】
［ダイヤル部８０の操作性］
また、本実施の形態では、交換時期ダイヤル８０の回動部８１を回動して、ダイヤル部８３の所望の月表示に操作片８２を配置することで、浄水カートリッジ１００の交換時期を使用者に対して確実に報知することができる。例えば、浄水カートリッジ１００の製品寿命が６カ月の場合、次回の交換時期を現在の月の６ヶ月後の月として（３月に設置する場合は、９月を交換時期として）、操作片８２をその月表示となる角度位置まで回動することで、使用者は、交換時期ダイヤル８０を確認するだけで、次回の浄水カートリッジ１００の交換時期を確実に把握することができる。
【００４０】
［３ピース構成の水栓本体］
本実施の形態によれば、水栓本体が、ベース部１０、センター部２０及びキャップ部３０の３部品構成（３ピース構成）となっているため、水栓本体内部に浄水カートリッジ１００を装着したり、水栓本体内部から浄水カートリッジ１００を交換等の目的で取り外したりする場合に、センター部２０からキャップ部３０のみを取り外すだけで、上水カートリッジの装着や離脱が可能になり、その作業性を向上することができる。また、このとき、センター部２０の上端部の雌螺子及びキャップ部３０の下端部の雄螺子は、対応する多条螺子（例えば、４条螺子）として構成されるため、通常の螺子の場合よりも小さい回動角度でキャップ３０をセンター部２０に対して着脱することができ、この点からも作業性を向上することができる。更に、水栓本体は、全体として先細となるテーパー付円筒形状乃至略円錐台形状の外観形状となるように構成されると共に、当該テーパー付円筒形状の外観形状とするために、水栓本体が、ベース部１０、センター部２０及びキャップ部３０の３部品から構成されている。ここで、従来の水栓本体は１部品からなる単純円筒形状の外観形状であり、全体としてスリムでコンパクトな外観を呈してその意匠性（デザイン性）を向上することができるが、１部品からなる水栓本体に対して本実施の形態のようなテーパー付円筒形状の外観形状を付与するためには、水栓本体の加工が複雑となり、そのための適切な材料選定や適切な加工処理が容易でなく、製造コストの上昇につながる可能性がある。一方、本実施の形態によれば、水栓本体の基端部（下端部）、中間部及び先端部（上端部）を、ベース部１０、センター部２０及びキャップ部３０からなる別ピース構成（３ピース構成）としているため、水栓の各部分に応じて必要とされるテーパー率、外観形状や外周面形状等の外側の構成、内周面形状等の内部構成等、種々の必要構成や仕様に応じて、加工面やコスト面等から最適な材料、製造方法等を採用することができる。例えば、水栓本体の基端部となるベース部１０は、上方に傾斜するハンドル部４０等の特殊な構造が付加されるため、青銅等の鋳造用の金属材料を使用して鋳造によって上記構造となるよう形成することが好ましいが、水栓本体の中間部となるセンター部２０や先端部となるキャップ部３０は、上記第１のテーパー率や第２のテーパー率、或いは、狭小空間ＮＳや支持壁３１等の構成を得るために、快削黄銅等の切削用の金属材料を使用して切削によって上記構造となるよう形成することが好ましい。その結果、本実施の形態の浄水器専用水栓は、このように３分割構成とした水栓本体により、水栓本体の不良率を低減することで、製品全体の不良率も低減することができる。
【００４１】
更に、本実施の形態の浄水器専用水栓は、水栓本体の基端部（下端部）、中間部及び先端部（上端部）を、ベース部１０、センター部２０及びキャップ部３０からなる別ピース構成（３ピース構成）としているため、各部のベース部１０の頂壁１３より上側の周壁（全体または内周面のみ）を所定のテーパー率で縮径するテーパー状とし、センター部２０（全体または内周面のみ）を所定の第１のテーパー率で縮径するテーパー状とし、キャップ部３０を所定の第２のテーパー率で縮径するテーパー状とすることにより、水栓本体の全体を所望のテーパー付円筒形状とすることができるが、ベース部１０、センター部２０及びキャップ部３０のそれぞれのテーパー率を相違させることにより、異なるテーパー率の基端部、中間部及び先端部から水栓本体の意匠外観を構成することもでき、多様な意匠構成やデザイン構成が可能となる。
【００４２】
［通水時・止水時の動作］
上記のように構成した本実施の形態の浄水器専用水栓は、ハンドル部４０を吐水位置とすることにより、原水が、水栓本体の通水空間ＷＳ１からバルブカートリッジ５０を介して通水空間ＷＳ２に流入する。すると、原水は、通水空間ＷＳ２内にある浄水カートリッジ１００のＯリングＯとキャップ部３０のテーパー面３５との間の封止箇所より下側の空間に充満し、活性炭部１１０の活性炭１１１の外周面から内部に進入して流路１１４内に流入する。この過程で、原水に含まれる所定の物質が活性炭１１１により吸着除去される（一次浄水となる）。このとき、従来のようにカートリッジ内蔵部の内周面が単純円筒状の場合は原水が上水カートリッジの活性炭の外周面と平行な方向に流れるのに対し、本実施の形態では、センター部２０の内周面が上端に向かって縮径するテーパー状となっているため、原水がセンター部２０のテーパー状の内周面に衝突して、センター部２０の軸心に向かう方向、即ち、活性炭１１１の外周面に向かう方向へと変向して流れることになり、活性炭１１１の外周面から内部に進入する原水の進入効率を増大することができる。また、前記一次浄水は、活性炭１１１の流路１１４から中空糸膜部１２０の内部に進入し、吐水端面１２３からキャップ部３０に向かって吐出される。この過程で、一次浄水に残留する所定の物質が中空糸膜１２２に膜分離されて除去される（二次浄水乃至最終的な浄水となる）。そして、中空糸膜部１２０の吐水端面１２３から吐出された浄水は、通水空間ＷＳ２内にある浄水カートリッジ１００のＯリングＯとキャップ部３０のテーパー面３５との間の封止箇所より上側の空間に充満し、下側係止部３３の流路孔３３ａから吐水パイプ９０の内部に流入し、最終的に、吐水パイプ９０の先端の吐水口から吐出される。このとき、やはり、キャップ部３０の内周面が上端に向かって縮径するテーパー状となっているため、センター部２０の場合と同様に、吐水端面１２３からの浄水がキャップ部３０のテーパー状の内周面に衝突して、キャップ部の軸心に向かう方向、即ち、下側係止部３３の流路孔３３ａに向かう方向へと変向して流れることになり、吐水端面１２３から下側係止部３３の流路孔３３ａに流入する原水の流入効率乃至集束効果を増大することも期待できる。
【００４３】
一方、浄水器専用水栓は、ハンドル部４０を止水位置とすることにより、バルブカートリッジ５０が水栓本体の通水空間ＷＳ１から通水空間ＷＳ２への原水の流入を遮断する。このとき、逆止弁部材７０の逆止弁７４により、ベース部１０の通水空間ＷＳ１内部の上浄水がネジ棒６１の流水孔から水源へと逆流するのを防止することができる。
【００４４】
実施の形態２
［定流量弁の付設］
図１２に示すように、実施の形態２に係る浄水器専用水栓は、実施の形態１の取付部６０とほぼ同様の構成の取付部１６０内に定流量弁１６２を内蔵した点、及び、吐水パイプ９０の先端の吐水口に樹脂キャップ９０ａを装着した点を除いて、基本的に実施の形態１の浄水器専用水栓と同様の構成であり、当該構成による同様の作用効果を発揮する。詳細には、実施の形態２では、取付部１６０のネジ棒６１は、実施の形態１のネジ棒６１とほぼ同様の構成であり、外周面に所定ピッチで雄螺子を螺刻形成しているが、その一方、内部に軸心に沿って貫通形成される流水孔が、実施の形態１のネジ棒６１の流水孔とは異なる構成となっている。即ち、ネジ棒６１は、定流量弁１６２を収容するための収容空間を形成すべく、下端より所定距離だけ（即ち、定流量弁１６２の高さ分だけ）上方の位置に、リング状の隔壁１６１を一体形成している。そして、逆止弁部材７０からの原水がネジ棒６１内の定流量弁１６２に流入して一定流量でベース部１０の通水空間ＷＳ１内に流入するようにしている。また、吐水パイプ９０の先端の樹脂キャップは、吐水口からの吐水を整流する等の目的で設置される。
【００４５】
［本発明の範囲］
ところで、本発明の浄水器専用水栓は、上記実施の形態１及び２の構成に限定されるものではなく、特許請求の範囲に記載の範囲内において、各種の変更が可能である。例えば、水栓本体１に内蔵される浄水カートリッジは、上記浄水カートリッジ１００のように活性炭部１１０を大径とし、中空糸膜部１２０を小径とした段付円筒状のものとする以外に、活性炭部及び中空糸膜部を同一外径とした単純円筒状の浄水カートリッジとすることもできる。この場合、浄水カートリッジの上端部の外径（即ち、各部の外径）は、上端部のＯリングがキャップ部３０のテーパー面３５に弾接して水密を維持できるよう、当然、キャップ部３０のテーパー面３５の最少直径よりも大きな動作径を有するものとする。また、この場合、活性炭部の外周面とセンター部２０の内周面との間の間隙が上記段付浄水カートリッジの場合より大きくなるが、作用効果的には、上記実施の形態１及び２と同様のものを発揮することができる。
【符号の説明】
【００４６】
１：水栓本体、１０：ベース部、２０：センター部、３０：キャップ部
４０：ハンドル部、５０：セラミックカートリッジ（弁部材）
１００：浄水カートリッジ
【図１】
2011241604.tif 000003
【図２】
2011241604.tif 000004
【図３】
2011241604.tif 000005
【図４】
2011241604.tif 000006
【図５】
2011241604.tif 000007
【図６】
2011241604.tif 000008
【図７】
2011241604.tif 000009
【図８】
2011241604.tif 000010
【図９】
2011241604.tif 000011
【図１０】
2011241604.tif 000012
【図１１】
2011241604.tif 000013
【図１２】
2011241604.tif 000014